(57)【要約】【課題】簡単かつ安価な構成で、被写体の撮像時に機械的な駆動等により発生する騒音を取り込むことなく録音をすることを可能にする。【解決手段】撮像した画像を録画するとともに撮像時の音声を録音する録音機能付き撮像装置において、撮像時に、騒音を発生する騒音源から騒音が発生していない期間は無指向性マイクロホン４２が集音した音声をメモリ６２及び記録部６４によって録音させ、前記騒音源から騒音が発生している期間は指向性マイクロホン４４が集音した音声をメモリ６２及び記録部６４によって録音させるＣＰＵ８０を設けた。これにより、逆位相の騒音信号を生成して、逆位相の騒音信号を音声信号に加算する必要はなく、また、逆位相の騒音信号のレベル調整や位相調整もする必要がない。【選択図】  図１
2005026956.tif 000002
【特許請求の範囲】
【請求項１】
撮像した画像を録画するとともに撮像時の音声を録音する録音機能付き撮像装置において、
被写体の撮像時に騒音を発生する騒音源と、
無指向性マイクロホンと、
被写体の撮像方向のみに指向性を有する指向性マイクロホンと、
前記無指向性マイクロホン又は前記指向性マイクロホンによって集音された音声を録音する録音手段と、
前記騒音源から騒音が発生していない期間は前記無指向性マイクロホンが集音した音声を前記録音手段により録音させ、前記騒音源から騒音が発生している期間は前記指向性マイクロホンが集音した音声を前記録音手段により録音させる制御手段と、
を備えたことを特徴とする録音機能付き撮像装置。
【請求項２】
撮像した画像を録画するとともに撮像時の音声を録音する録音機能付き撮像装置において、
被写体の撮像時に騒音を発生する騒音源と、
無指向性又は被写体の撮像方向のみに指向性をもつように指向性の切り替えが可能な可変指向性マイクロホンと、
前記可変指向性マイクロホンによって集音した音声を録音する録音手段と、
前記騒音源から騒音が発生していない期間は前記可変指向性マイクロホンを無指向性に切り替え、該可変指向性マイクロホンが集音した音声を前記録音手段により録音させ、前記騒音源から騒音が発生している期間は前記可変指向性マイクロホンを被写体の撮像方向のみに指向性をもつように切り替え、該可変指向性マイクロホンが集音した音声を前記録音手段により録音させる制御手段と、
を備えたことを特徴とする録音機能付き撮像装置。
【請求項３】
前記騒音源は、ズームレンズ、フォーカスレンズ、又はアイリスを駆動する駆動手段である請求項１又は２に記載の録音機能付き撮像装置。
【請求項４】
前記録音手段は、撮像中に音声をメモリに一時記憶し、撮像後に前記メモリに記憶された音声を回転記録媒体に記録するものであり、前記騒音源は前記回転記録媒体の駆動手段である請求項１、２又は３に記載の録音機能付き撮像装置。
【発明の詳細な説明】
【０００１】
【発明の属する技術分野】
本発明は、録音機能付き撮像装置に係り、特に被写体の撮像時に騒音を発生する騒音源を有した録音機能付きの撮像装置に関する。
【０００２】
【従来の技術】
従来、騒音を含む音声を集音するマイクロホンから出力された音声信号を増幅するとともに、騒音のみを集音する騒音専用のマイクロホンから出力された騒音信号を逆位相で増幅し、騒音信号を含む音声信号と逆位相の騒音信号とを加算することによって、騒音信号を除去するようにした装置が提案されている（例えば、特許文献１参照）。
【０００３】
【特許文献１】
特開平１０−９２１２１号公報
【０００４】
【発明が解決しようとする課題】
しかしながら、前述の従来の装置では、騒音信号を逆位相で増幅する増幅器、及び騒音信号を含む音声信号と逆位相の騒音信号とを加算する加算器を設けなければならず、装置コストがかかり、また、逆位相の騒音信号のレベル調整、位相調整が難しいという問題がある。
【０００５】
本発明はこのような事情に鑑みてなされたもので、簡単かつ安価な構成で、被写体の撮像時に機械的な駆動等により発生する騒音を取り込むことなく、録音をすることができる録音機能付き撮像装置を提供することを目的とする。
【０００６】
【課題を解決するための手段】
前記目的を達成するために、請求項１に記載の発明は、撮像した画像を録画するとともに撮像時の音声を録音する録音機能付き撮像装置において、被写体の撮像時に騒音を発生する騒音源と、無指向性マイクロホンと、被写体の撮像方向のみに指向性を有する指向性マイクロホンと、前記無指向性マイクロホン又は前記指向性マイクロホンによって集音された音声を録音する録音手段と、前記騒音源から騒音が発生していない期間は前記無指向性マイクロホンが集音した音声を前記録音手段により録音させ、前記騒音源から騒音が発生している期間は前記指向性マイクロホンが集音した音声を前記録音手段により録音させる制御手段と、を備えたことを特徴としている。
【０００７】
本発明によれば、被写体の撮像時に騒音源から騒音が発生していない期間は無指向性マイクロホンで集音された音声が録音されるとともに、被写体の撮像時に騒音源から騒音が発生している期間は指向性マイクロホンで集音された音声が録音されるので、被写体の撮像時に発生する騒音を取り込むことなく録音がされる。また、従来は必要であった、騒音信号を逆位相で増幅する増幅器や、騒音信号を含む音声信号と逆位相の騒音信号とを加算する加算器を設ける必要がない。さらに、従来必要であった逆位相の騒音信号のレベル調整及び位相調整も必要ない。
【０００８】
また、前記目的を達成するために、請求項２に記載の発明は、撮像した画像を録画するとともに撮像時の音声を録音する録音機能付き撮像装置において、被写体の撮像時に騒音を発生する騒音源と、無指向性又は被写体の撮像方向のみに指向性をもつように指向性の切り替えが可能な可変指向性マイクロホンと、前記可変指向性マイクロホンによって集音した音声を録音する録音手段と、前記騒音源から騒音が発生していない期間は前記可変指向性マイクロホンを無指向性に切り替え、該可変指向性マイクロホンが集音した音声を前記録音手段により録音させ、前記騒音源から騒音が発生している期間は前記可変指向性マイクロホンを被写体の撮像方向のみに指向性をもつように切り替え、該可変指向性マイクロホンが集音した音声を前記録音手段により録音させる制御手段と、を備えたことを特徴としている。
【０００９】
本発明によれば、被写体の撮像時に騒音源から騒音が発生していない期間は無指向性で集音された音声が録音されるとともに、被写体の撮像時に騒音源から騒音が発生している期間は撮像方向のみに指向性をもつように切り替えられて集音された音声が録音されるので、被写体の撮像時に発生する騒音を取り込むことなく録音がされる。また、マイクロホンは可変指向性マイクロホンを設ければよく、従来は必要であった騒音専用のマイクロホン、騒音信号を逆位相で増幅する増幅器、及び騒音信号を含む音声信号と逆位相の騒音信号とを加算する加算器を設ける必要がない。さらに、従来必要であった逆位相の騒音信号のレベル調整及び位相調整も必要ない。尚、可変指向性マイクロホンとして、一体に形成された小型のマイクロホンを用いた場合、装置のサイズを大きくする必要もない。
【００１０】
また、請求項３に記載の発明は、請求項１又は２に記載の発明において、前記騒音源は、ズームレンズ、フォーカスレンズ、又はアイリスを駆動する駆動手段である構成となっている。
【００１１】
これによって、ズームレンズ、フォーカスレンズ、又はアイリスの駆動に伴って騒音が発生するような場合であっても、被写体の撮像時に発生する騒音を取り込むことなく録音がされる。
【００１２】
また、請求項４に記載の発明は、請求項１、２又は３に記載の発明において、前記録音手段は、撮像中に音声をメモリに一時記憶し、撮像後に前記メモリに記憶された音声を回転記録媒体に記録するものであり、前記騒音源は前記回転記録媒体の駆動手段である構成となっている。
【００１３】
これによって、ハードディスクや光ディスク等の回転記録媒体への画像や音声の記録に伴って騒音が発生するような場合であっても、被写体の撮像時に発生する騒音を取り込むことなく録音がされる。
【００１４】
【発明の実施の形態】
以下添付図面に従って本発明に係る録音機能付き撮像装置の好ましい実施の形態について詳説する。
【００１５】
［第１の実施の形態］
図１は本発明に係る録音機能付き撮像装置の第１の実施の形態を示す要部ブロック図である。
【００１６】
図１において、撮影レンズ１０は、ズームレンズ及びフォーカスレンズを有するとともに、アイリスが設けられている。
【００１７】
駆動部２０は、撮影レンズ１０のズームレンズ、フォーカスレンズ、及びアイリスを機械的に駆動する複数の駆動モータと、駆動モータを電気的に駆動するドライブ回路とを有する。
【００１８】
固体撮像素子（ＣＣＤ）３０は、数百万画素に相当する複数のセンサを有し、センサごとに入射光量に応じた電荷を蓄積するとともに、蓄積した電荷に応じた電圧の信号を出力する。
【００１９】
アナログ・フロント・エンド（ＡＦＥ）３２は、ＣＣＤ３０の出力信号に対してアナログ処理をする。具体的には、ＣＣＤ３０の出力信号を、一定周期でサンプリングし、増幅した後に、アナログからデジタルに変換する。
【００２０】
無指向性マイクロホン４２は、無指向性を有し、ほぼ全方向からの音声を集音する。また、指向性マイクロホン４４は、音声の集音方向がＣＣＤ３０の被写体の撮像方向と一致するように設けられ、被写体の撮像方向のみに単一の指向性を有する。これらの無指向性マイクロホン４２及び指向性マイクロホン４４には増幅器４３、４５がそれぞれ接続されており、増幅器４３、４５は、無指向性マイクロホン４２及び指向性マイクロホン４４の出力信号をそれぞれ増幅する。
【００２１】
選択部５０は、無指向性マイクロホン４２及び指向性マイクロホン４４のいずれかひとつを選択するものであり、無指向性マイクロホン４２及び指向性マイクロホン４４のうち選択したマイクロホンで集音された音声を出力する。
【００２２】
メモリ６２は、ＡＦＥ３２でアナログ処理された画像及び選択部５０から出力された音声を一時記憶する。
【００２３】
記録部６４は、メモリ６２に一時記憶された画像や音声を、メモリカード、ハードディスク、光ディスク等の記録媒体に記録する。
【００２４】
表示部７２は、メモリ６２に一時記憶された画像又は記録部６４に記録された画像を表示する。
【００２５】
操作部７０は、モード設定ダイヤル、ズームボタン、シャッタボタン等を有する。ここで、モード設定ダイヤルは、動画像を録画させるとともに撮像時の音声を録音させる動画モード、静止画像を撮影する静止画モード、音声の録音のみをさせる録音モード等のモードを設定するものである。ズームボタンは、画像のズーム（拡大又は縮小）を指示するためのものである。シャッタボタンは、動画像の録画や録音の開始又は終了、オートフォーカス、静止画の撮影等を指示するためのものであり、半押し状態を検出するスイッチと全押し状態を検出するスイッチとを有する。
【００２６】
中央処理装置（ＣＰＵ）８０は、モード設定ダイヤルで設定されたモードとシャッタボタンの状態とに基づいて利用者からの指示を判定し、判定結果に基づいて各部を統括制御する。例えば、動画モードでは、シャッタボタンが全押しでワンプッシュされた時、動画像の録画及び音声の録音の開始と判定し、シャッタボタンが全押しで再度ワンプッシュされた時、動画像の録画及び音声の録音の終了と判定する。静止画モードでは、シャッタボタンが半押しされた時、オートフォーカスと判定し、全押しでワンプッシュされた時、静止画像の撮影と判定する。録音モードでは、シャッタボタンが全押しでワンプッシュされた時、音声の録音のみの開始と判定し、シャッタボタンが全押しで再度ワンプッシュされた時、音声の録音の終了と判定する。
【００２７】
また、ＣＰＵ８０は、ズーム制御、オートフォーカス制御、自動露光制御、ホワイトバランス制御等の撮像に関する制御を行う。ここで、ズーム制御では、駆動部２０を介して、ズームレンズを適当な倍率となる位置に移動させる。オートフォーカス制御では、駆動部２０を介して、フォーカスレンズを合焦位置に移動させる。自動露光制御では、駆動部２０を介して、アイリスが適正な絞り開口となるように制御する。
【００２８】
また、ＣＰＵ８０は、ＣＣＤ３０による被写体の撮像時に騒音源から騒音が発生している期間（騒音発生期間）を判定し、騒音源から騒音が発生していない期間は、選択部５０に無指向性マイクロホン４２を選択させ、騒音発生期間は、選択部５０に指向性マイクロホン４４を選択させる。尚、撮像時の騒音としては、ズームレンズ、フォーカスレンズ又はアイリスを機械的に駆動する際に、駆動部２０又は撮影レンズ１０（ズームレンズ、フォーカスレンズ、アイリスを含む）から発生する騒音がある。その他騒音としては、例えば、ハードディスク、光ディスク等の回転記録媒体に画像や音声を記録する際に、記録部６４の駆動モータから発生する駆動音等、記録部６４で発生する騒音がある。
【００２９】
また、ＣＰＵ８０は、モード設定ダイヤルで設定されたモードに応じて、ＣＣＤ３０で撮像された画像や、無指向性マイクロホン４２及び指向性マイクロホン４４のうち選択されたマイクロホンで集音された音声を、メモリ６２に一時記憶させる。また、ＣＰＵ８０は、シャッタボタンの状態に基づいて動画像の録画や音声の録音の終了と判定した時、メモリ６２に一時記憶された動画像や音声を、記録部６４を介して記録媒体に記録する。
【００３０】
次に、上記構成の録音機能付き撮像装置の動作について、図１を用いて説明する。
【００３１】
まず、操作部７０のモード設定ダイヤルで動画モードが設定されている場合について説明する。
【００３２】
動画モードでは、操作部７０のシャッタボタンが全押しでワンプッシュされた時、ＣＰＵ８０によって動画像の録画及び音声の録音の開始と判定される。被写体の画像は、撮影レンズ１０を介してＣＣＤ３０の受光面に結像され、ＣＣＤ３０のセンサごとに入射光量に応じた電荷として蓄積される。ＣＣＤ３０の出力信号は、ＡＦＥ３２でアナログ処理された後、ＣＰＵ８０の制御によってメモリ６２に動画像として一時記憶される。音声については、ＣＰＵ８０の制御によって選択部５０で無指向性マイクロホン４２が選択され、無指向性マイクロホン４２の出力信号は、無指向性マイクロホン４２に接続された増幅器４３で増幅された後、ＣＰＵ８０の制御によってメモリ６２に音声として一時記憶される。
【００３３】
ＣＣＤ３０による撮像中に操作部７０のズームボタンでズームが指示された時、即ち撮像時に撮影レンズ１０（ズームレンズ、フォーカスレンズ、アイリスを含む）の機械的な駆動が開始される時、ＣＰＵ８０から選択部５０に指向性マイクロホン４４の選択が指示され、選択部５０で指向性マイクロホン４４が選択された後、ＣＰＵ８０の制御により駆動部２０を介して撮影レンズ１０が機械的に駆動される。ここで、駆動部２０での駆動モータの駆動音や、撮影レンズ１０でのレンズの移動による騒音、アイリス駆動による騒音といった、撮影レンズ１０を機械的に駆動することに伴う騒音が、撮像中に発生する。しかしながら、撮像中であって撮影レンズ１０が機械的に駆動されている期間、即ち撮像時の騒音発生期間には、指向性マイクロホン４４で集音された音声が、増幅器４５で増幅された後、音声としてメモリ６２に一時記憶される。尚、指向性マイクロホン４４は、被写体の撮像方向のみに指向性を有しているので、撮影レンズ１０を機械的に駆動することに伴う騒音はほとんど集音されることなく、撮像時の騒音が排除された音声がメモリ６２に一時記憶される。
【００３４】
そして、撮影レンズ１０の機械的な駆動が終了した時、即ち騒音発生期間の終了時には、ＣＰＵ８０から選択部５０に無指向性マイクロホン４２の選択が指示され、選択部５０で無指向性マイクロホン４２が選択され、撮像中に再び騒音が発生される時まで、無指向性マイクロホン４２で集音された音声がメモリ６２に一時記憶される。
【００３５】
操作部７０のシャッタボタンが全押しで再度ワンプッシュされた時には、ＣＰＵ８０によって動画像の録画及び音声の録音の終了と判定され、メモリ６２に一時記憶された動画像及び音声が、ＣＰＵ８０の制御により、記録部６４を介して記録媒体に記録される。
【００３６】
尚、メモリ６２の容量には限りがあるので、一般に、動画像の解像度等に応じた一定時間の経過時にメモリ６２内の動画像及び音声を記録媒体に順次記録して動画像の録画及び音声の録音を強制終了するか、又は、一定時間が経過するごとにメモリ６２内の動画像及び音声を記録媒体に順次記録するとともに動画像の録画及び音声の録音を継続する（連続録画をする）。
【００３７】
上記連続録画の場合、メモリカード等の記録媒体では、記録媒体への記録に伴う記録部６４の駆動モータの駆動音は発生しないので、当然のことながら記録に伴う駆動音が音声に取り込まれることはない。しかしながら、記録に伴って駆動モータの駆動音等を発生させる回転記録媒体では、常に無指向性マイクロホン４２を選択して録音すると、記録に伴う駆動音が音声に取り込まれてしまうことになる。そこで、このような回転記録媒体を用いる場合、撮像時であって駆動音が発生している期間には、指向性マイクロホン４４を選択することにより、駆動音を排除する。
【００３８】
具体的には、メモリ６２への一時記憶を開始してから一定時間経過時、ＣＰＵ８０の制御によって選択部５０が指向性マイクロホン４４を選択した後、メモリ６２に一時記憶された動画像及び音声が、記録部６４を介して記録媒体に記録される。ここで、記録部６４では駆動モータの駆動音が発生する。このような撮像時の騒音発生期間では、指向性マイクロホン４４によって音声が集音され、指向性マイクロホン４４の出力信号は、増幅器４５で増幅された後、音声としてメモリ６２に一時記憶される。指向性マイクロホン４４は、被写体の撮像方向のみに指向性を有しているので、記録媒体への記録に伴う騒音はほとんど集音されることなく、騒音が排除された音声がメモリ６２に一時記憶される。そして、記録媒体への記録が終了した時、即ち撮像中の騒音発生期間の終了時には、ＣＰＵ８０からの制御によって選択部５０が無指向性マイクロホン４２を選択し、再び騒音が発生される時まで、無指向性マイクロホン４２で集音された音声がメモリ６２に一時記憶される。
【００３９】
尚、記録媒体が、メモリカードのような無騒音の記録媒体であるか、ハードディスクや光ディスクのような回転記録媒体であって記録時に騒音発生を伴う記録媒体であるかは、ＣＰＵ８０によって判定され、騒音発生を伴う記録媒体であると判定された場合にのみ、指向性マイクロホン４４への切り替えが行われる。
【００４０】
操作部７０のモード設定ダイヤルで静止画モードが設定されている場合については、音声の録音は行わず、静止画像の撮像及び記録のみ行うようになっているので、当然のことながら騒音が録音されることがない。なお、静止画像に関連付けて短時間の音声メモを記録媒体に記録させる機能もあるが、ＣＰＵ８０の制御により、メモリ６２に音声を一時記憶させた後に記録媒体に記録させるようになっているので、音声メモの録音時に記録部６４の騒音が録音されることもない。また、操作部７０のモード設定ダイヤルで録音モードが設定されている場合には、音声の録音のみが行われる。
【００４１】
以上説明した上記実施の形態に係る録音機能付き撮像装置によれば、被写体の撮像時に騒音源から騒音が発生していない期間は無指向性マイクロホン４２で集音された音声が録音されるとともに、被写体の撮像時に騒音源から騒音が発生している期間は指向性マイクロホン４４で集音された音声が録音されるので、被写体の撮像時に発生する騒音を取り込むことなく録音がされる。また、従来は必要であった、騒音信号を逆位相で増幅する増幅器や、騒音信号を含む音声信号と逆位相の騒音信号とを加算する加算器を設ける必要がない。さらに、従来必要であった逆位相の騒音信号のレベル調整、位相調整といった調整も必要ない。
【００４２】
［第２の実施の形態］
図２は本発明に係る録音機能付き撮像装置の第２の実施の形態を示す要部ブロック図である。尚、図１に示した録音機能付き撮像装置と共通する部分には同一の符号を付し、その詳細な説明は省略する。
【００４３】
図２に示す可変指向性マイクロホン４６は、無指向性及び単一指向性のいずれかに切り替えが可能なマイクロホンである。また、可変指向性マイクロホン４６は、単一指向性時の音声の集音方向が撮影レンズ１０の撮影方向と一致するように設けられており、単一指向性時には被写体の撮像方向に単一の指向性を持つようになっている。即ち、図１に示した第１の実施の形態では、無指向性マイクロホン４２と指向性マイクロホン４４とを設けたが、図２に示す第２の実施の形態では、ひとつの可変指向性マイクロホン４６を設けた点で相違する。また、図１に示した第１の実施の形態では、ＣＰＵ８０が、撮像時に騒音が発生していない期間には選択部５０に無指向性マイクロホン４２を選択させ、撮像時の騒音発生期間には選択部５０に指向性マイクロホン４４を選択させて、音声を録音するようにしたが、図２に示す第２の実施の形態では、ＣＰＵ８０が、撮像時に騒音が発生していない期間には可変指向性マイクロホン４６を無指向性に切り替え、撮像時の騒音発生期間には可変指向性マイクロホン４６を指向性に切り替えて、音声の録音するようにした点で相違する。
【００４４】
例えば、動画モードで動画像の録画及び音声の録音を開始した時、可変指向性マイクロホン４６はＣＰＵ８０の指示で無指向性となり、ＣＣＤ３０で撮像された画像とともに、無指向性の状態の可変指向性マイクロホン４６で集音された音声が、メモリ６２に一時記憶される。ここで、ＣＣＤ３０による撮像中に操作部７０のズームボタンでズームが指示された時、ＣＰＵ８０からの指示で可変指向性マイクロホン４６が無指向性から指向性へ切り替えられた後、ＣＰＵ８０の制御によって駆動部２０を介して撮影レンズ１０が機械的に駆動される。このように撮像時であって撮影レンズ１０が機械的に駆動されている期間は、可変指向性マイクロホン４６は指向性の状態であり、可変指向性マイクロホン４６の出力信号は、増幅器４７で増幅された後、メモリ６２に音声として一時記憶される。そして、撮影レンズ１０の機械的な駆動が終了した時、ＣＰＵ８０からの指示で可変指向性マイクロホン４６が指向性から無指向性に切り替えられ、再び騒音が発生するまで、可変指向性マイクロホン４６は無指向性を継続する。動画像の録画及び音声の録音を終了する時には、メモリ６２に一時記憶された画像及び音声が、記録部６４を介して記録媒体に記録される。
【００４５】
尚、上述の第１及び第２の実施の形態において、騒音発生期間の判定については、駆動部２０での撮影レンズ１０の機械的な駆動の開始から終了までと、記録部６４で回転記録媒体を回転させるための駆動の開始から終了までを、騒音発生期間と判定する例を説明したが、本発明は、このような場合に限るものではない。例えば、無指向性マイクロホン４２の出力信号と指向性マイクロホン４４の出力信号との差分によって騒音を検出する騒音検出手段を設けて、騒音発生期間を判定してもよいし、例えば、マイクロホンの出力信号にフーリエ変換を施して周波数分析をすることにより騒音を検出する騒音検出手段を設けて、騒音発生期間を判定してもよい。上記の騒音検出手段は、ＣＰＵ８０によって構成すれば、装置のコストを上げることもない。また、例えば、騒音発生開始時点からの経過時間をタイマで計時し、騒音発生開始から一定期間経過後をＣＰＵ８０で騒音発生期間の終了と判定するようにしてもよい。要は、撮像時に、被写体の撮像方向とは異なる方向から騒音が発生している騒音発生期間を判定して、騒音発生期間には、指向性マイクロホン４４で集音された音声、又は、可変指向性マイクロホン４６を単一指向性に切り替えて集音した音声、を録音するようにすればよい。
【００４６】
尚、駆動部２０、撮影レンズ１０、及び記録部６４の駆動手段を騒音源として説明したが、これら以外の騒音源であっても、撮像時に被写体の撮像方向とは異なる方向から騒音を発生する騒音源があれば、騒音発生期間は、指向性マイクロホン４４で集音された音声や、可変指向性マイクロホン４６を単一指向性に切り替えて集音した音声を、録音するようにすればよい。
【００４７】
また、動画像及び音声をメモリ６２に一時記憶した後に記録媒体に記録する例、即ちメモリ６２と記録部６４で録音手段を構成した例について説明したが、メモリ６２の容量が十分であれば、動画像や音声をメモリ６２のみに記録するようにしてもよい。
【００４８】
また、本発明に係る録音機能付き撮像装置は、動画像や音声を光ディスク等に記録する動画カメラ（ディスクムービー、ＤＶＤムービー）も含む。
【００４９】
尚、騒音とは、人が騒がしいと感じる音である。したがって、人の可聴帯域外の音を発生する音源については無視してもよいし、人の可聴帯域内であっても人が騒がしいとほとんど感じないような周波数又はレベルの音を発生する音源についても同様に無視してもよい。
【００５０】
【発明の効果】
以上説明したように本発明によれば、簡単かつ安価な構成で、被写体の撮像時に機械的な駆動等により発生する騒音を取り込むことなく録音をすることができる。従来必要であった逆位相の騒音信号のレベル調整及び位相調整も必要ない。
【図面の簡単な説明】
【図１】本発明に係る録音機能付き撮像装置の第１の実施の形態の構成を示す要部ブロック図
【図２】本発明に係る録音機能付き撮像装置の第２の実施の形態の構成を示す要部ブロック図
【符号の説明】
１０…撮影レンズ、２０…駆動部（駆動手段）、３０…ＣＣＤ、３２…ＡＦＥ、４２…無指向性マイクロホン、４４…指向性マイクロホン、４６…可変指向性マイクロホン、５０…選択部、６２…メモリ（録音手段）、６４…記録部（録音手段）、７０…操作部、７２…表示部、８０…ＣＰＵ（制御手段）
【図１】
2005026956.tif 000003
【図２】
2005026956.tif 000004